(57)【特許請求の範囲】
【請求項１】
記録媒体に記録再生を行う記録再生手段と、
時間をカウントするタイマーと、
前記記録再生手段とタイマーとを制御する制御部とを備えた監視用記録装置であって、
前記制御部は、利用者が記録及び再生のいずれかを停止させたときに前記タイマーをカウントし始め、その後、前記タイマーが所定の時間を経過しても記録再生をしていない停止状態が継続した時に、自動的に記録を開始するように構成した監視用記録装置。
【請求項２】
前記制御部は、自動的に記録が開始できなかった場合に外部へ警告信号を出力するように構成した請求項１記載の監視用記録装置。
【請求項３】
表示器を設け、
前記制御部は、自動的に記録が開始できなかった場合に前記表示器に警告表示をするように構成した請求項１記載の監視用記録装置。
【請求項４】
音声出力手段を設け、
前記制御部は、自動的に記録を開始できなかった場合に前記音声出力手段に警告音声を発生させるように構成した請求項１記載の監視用記録装置。
【請求項５】
前記制御部は、自動的に記録を開始する前に外部へ警告信号を出力するように構成した請求項１記載の監視用記録装置。
【請求項６】
表示器を設け、
前記制御部は、自動的に記録を開始する前に前記表示器に警告表示をするように構成した請求項１記載の監視用記録装置。
【請求項７】
音声出力手段を設け、
前記制御部は、自動的に記録を開始する前に前記音声出力手段に警告音声を発生させるように構成した請求項１記載の監視用記録装置。
【発明の詳細な説明】
【０００１】
【発明の属する技術分野】
本発明は、記録再生機能を有する監視用記録装置に関する。
【０００２】
【従来の技術】
従来、監視用記録装置は記録以外の状態の時に画面出力にブルー画面を出力、あるいは画面出力にスーパーインポーズで記録装置の状態を表示（具体的には、ＰＬＡＹ、ＲＥＣ等を表示）することで、記録状態でないことを利用者に伝えている。
【０００３】
【発明が解決しようとする課題】
従来の監視用記録装置においてブルー画面出力をする場合、監視映像を確認する為に装置を再生に用いるときには頻繁にブルー画面になり利用者に違和感を与えていた。
【０００４】
また、スーパーインポーズで記録装置の状態を表示する場合、利用者が記録以外で装置を使用しているときに警告表示が発生し不快に感じていた。
【０００５】
また、ブルー画面出力をする場合やスーパーインポーズで記録装置の状態を表示する場合、記録装置の状態を利用者に示すだけに止まっている為、利用者が記録を開始するのを忘れると、記録ができていないという事態の発生が考えられる。
【０００６】
【課題を解決するための手段】
この課題を解決するために本発明は、記録や再生をしていないような停止状態が任意の時間以上継続したときに、未記録状態が継続していることを表示や音声で利用者に伝える、あるいは自動的に記録を開始するように構成したものである。
【０００７】
これにより、利用者が意図的に記録装置を記録以外の目的で操作している時は未記録状態の表示や音声は出ず快適な操作感が得られ、また装置の記録開始操作を忘れた場合にでも、表示や音声で記録されていないことがわかる、あるいは自動的に記録が開始されることで、記録ができていなかったというような事態の発生を抑制するという効果が得られる。
【００１１】
【発明の実施の形態】
請求項１に記載の発明は、記録再生をしていない停止状態が任意の時間継続した時に、自動的に記録を開始するように構成した監視用記録装置としたものであり、ユーザーが手動による記録の開始操作をしなかった場合でも、自動的に記録を開始することで、監視における未記録状態を防ぐという作用を有する。
【００１２】
請求項２に記載の発明は、自動的に記録が開始できなかった場合に警告信号を出力するように構成した請求項１記載の監視用記録装置としたものであり、本記録装置の記録異常を接続された他の機器に伝達し、システムの記録エラー検出が可能になり、監視における未記録状態を防ぐという作用を有する。
【００１３】
請求項３に記載の発明は、表示器などの表示出力を設け、自動的に記録が開始できなかった場合に警告表示をするように構成した請求項１記載の監視用記録装置としたものであり、ユーザーが手動による記録の開始操作をせず、かつ本装置が記録不可能な場合に、ユーザーに本記録装置が記録できないことを知らせ、監視における未記録状態を防ぐという作用を有する。
【００１４】
請求項４に記載の発明は、ブザーなどの音声出力を設け、自動的に記録を開始できなかった場合に警告音声を発するように構成した請求項１記載の監視用記録装置としたものであり、ユーザーが手動による記録の開始操作をせず、かつ本装置が記録不可能な場合に、ユーザーに本記録装置が記録できないことを知らせ、監視における未記録状態を防ぐという作用を有する。
【００１５】
請求項５に記載の発明は、自動的に記録を開始する前に警告信号を出力するように構成した請求項１記載の監視用記録装置としたものであり、出力される警告信号を用いて、本記録装置が記録していない状態を継続していることを、他の機器に簡単な接続で伝達でき、システムの記録エラー検出が可能で、また自動的に記録を開始することで、監視における未記録状態を防ぐという作用を有する。
【００１６】
請求項６に記載の発明は、表示器などの表示出力を設け、自動的に記録を開始する前に警告表示をするように構成した請求項１記載の監視用記録装置としたものであり、出力される警告表示によって、本記録装置が記録していない状態を継続していることを、ユーザーに容易に認識させ、また自動的に記録を開始することで、監視における未記録状態を防ぐという作用を有する。
【００１７】
請求項７に記載の発明は、ブザーなどの音声出力を設け、自動的に記録を開始する前に警告音声を発するように構成した請求項１記載の監視用記録装置としたものであり、出力される警告音声によって、本記録装置が記録していない状態を継続していることを、ユーザーに容易に認識させ、また自動的に記録を開始することで、監視における未記録状態を防ぐという作用を有する。
【００１８】
以下、本発明の実施の形態について、図１を用いて説明する。
【００１９】
（実施の形態１）
図１は、本発明を実施した、記録に磁気テープを用いる監視用記録装置を示し、図１において制御部１はマイクロコンピューターによって構成され、装置の内部を制御する。メカニズム２は磁気テープ３を記録／再生するものである。画面出力部4は、磁気テープ３に記録された監視映像の再生出力部である。タイマー５は、リセット可能なタイマーである。表示器6は制御部1の指令によって、装置の状態などを表示する。ブザー７は制御部１の指令でブザー音を発する。スイッチ8は自動記録の入り切りを設定するのに用いる。外部機器９は制御部１に接続され警告信号を受信する。
【００２０】
また、図２は、図１の制御部のフローチャートを示し、２１は監視用記録装置の状態を監視するモジュールであり、２２はタイマーをリセットするモジュールであり、２３は時間をカウントするためのタイマーを制御するモジュールであり、２４は表示器、ブザーまたは外部機器に警告指令を出す、あるいは自動的に記録を開始するモジュールである。
【００２１】
以下に本実施例の動作を図1，２を用いて説明する。
【００２２】
まず停止継続を検出する時間を１０分、スイッチ８の設定は自動記録入りとする。
【００２３】
監視用記録装置が記録の時、図2のフローに従い、制御部1は停止ではないのでタイマーをリセットしながら記録を継続する。利用者によって記録が停止され、再生が開始されたとすると、制御部1は停止ではないのでタイマーをリセットしながら再生を継続する。このように利用者が利用中は自動記録されず、未記録の警告表示や警告ブザーも発せられない。
【００２４】
これにより、利用者が意図的に記録装置を記録以外の目的で操作している時は未記録状態の表示や音声は出ず快適な操作感が得られる。
【００２５】
次に利用者が再生を終了し、装置を停止させ、記録を開始せずに、そのまま放置していたとすると、制御部1は図2のフローに従い、停止中のためタイマーをカウントし始める。タイマーが１０分を経過しても、利用者による記録が開始されないので、制御部１はスイッチ８の設定の自動記録入りに従い、以下の４つの動作のうち少なくとも１つの動作を実行する。４つの動作は、（１）未記録の警告表示、（２）未記録の警告ブザー、（３）磁気テープ３に自動的に記録開始、（４）外部機器へ未記録警告信号の出力、である。
（１）未記録の警告表示は、制御部１が、表示器６に、未記録状態であることを表示する。表示形態は、“未記録タイムオーバー”、“ＲＥＣ  ＳＴＡＲＴ”等で色変え表示、点滅表示も可能である。
（２）未記録の警告ブザーは、制御部１が、ブザー７に警告音声であるブザー音を発生させる。
（３）磁気テープ３に自動的に記録開始は、制御部１が、メカニズム２を制御し、磁気テープ３に自動的に記録を開始する。
（４）外部機器へ未記録警告信号の出力は、制御部１から外部機器９へ、未記録警告信号を出力する。操作者は、監視用記録装置を離れて監視センターなどの外部機器に居る場合もあるため、外部機器へも未記録警告信号を出力する。
【００２６】
上記（３）による自動記録開始時、磁気テープ３がないなどの原因によって記録が開始できない場合には、制御部１は、表示器６に警告表示，ブザー７による警告音発生，外部機器９へ記録不能の警告信号発生のうち少なくとも１つの動作を指令する。
【００２７】
これらの動作により、装置の記録開始操作を忘れた場合にでも、表示や音声で記録されていないことがわかる、あるいは自動的に記録が開始されることで、記録ができていなかったというような事態の発生を抑制するという効果が得られる。
【００２８】
また、記録開始操作を忘れた場合に自動的に記録開始の指示をしたものの記録が開始できなかった場合に、ユーザーに本記録装置が記録できないことを知らせ、監視における未記録状態を防ぐという効果が得られる。
【００２９】
なお、以上の説明では、記録メディアを磁気テープ３で構成した例で説明したが、その他のハードディスク（ＨＤＤ）、光ディスク（ＭＯ、ＰＤ、ＤＶＤ）についても同様に実施可能である。
【００３０】
また、スイッチ８や停止継続を検出する時間をメモリーを用いて、初期設定値あるいは変更可能な設定値として制御部１のソフトウェアを用いて管理することで、自動記録の入り切り、継続検出時間の設定が可能になり、同様に実施可能である。またタイマー部６を制御部１のソフトウェアで実現しても同様に実施可能である。
【００３１】
【発明の効果】
以上のように本発明によれば、装置の利用者が意図的に装置を記録以外の状態で使用している時は未記録の警告表示や警告音は発せられず、快適に使用ができ、万一、利用者が記録の開始を忘れたとしても、設定された一定時間後に警告表示や警告音が発せられる為、監視における未記録状態を防げる。また自動的に記録を開始することで、利用者が不在の場合でも監視における未記録状態を防ぐという有利な効果が得られる。
【図面の簡単な説明】
【図１】本発明の一実施の形態による監視用記録装置を示す図
【図２】本発明の一実施の形態による監視用記録装置の制御部の制御フローチャート
【符号の説明】
１  制御部
２  メカニズム
３  磁気テープ
４  画面出力部
５  タイマー部
６  表示器
７  ブザー
８  スイッチ
【図１】
0003671776.tif 000002
【図２】
0003671776.tif 000003